(57)【要約】【課題】本発明は、携帯端末機の位置を使用者が願う位置に容易に合わせることができるし、携帯端末機をその合わせた位置に長期間維持することができるし、携帯時には携帯端末機と共に容易に携帯することができる携帯端末機用スタンドを提供する。【解決手段】このために、本発明の携帯端末機用スタンドは、携帯端末機または前記携帯端末機のケースなどの被装着部に具備されて前記携帯端末機を支持する携帯端末機用スタンドであり、前記被装着部に具備されるための固定部と、長さ方向に引込みされるか、または引き出されながら長さが伸縮される伸縮部と、前記固定部と前記伸縮部との間に具備されて前記固定部を相対的に回転させる回転部と、及び前記伸縮部の末端に回転可能に具備される末端支持部と、を含む。【選択図】図１
2020088835.tif 000002
【特許請求の範囲】
【請求項１】
携帯端末機または前記携帯端末機のケースなどの被装着部に具備されて前記携帯端末機を支持する携帯端末機用スタンドであり、
前記被装着部に具備されるための固定部と、
長さ方向に引込みされるか、または引き出されながら長さが伸縮される伸縮部と、
前記固定部と前記伸縮部との間に具備されて前記固定部を相対的に回転させる回転部と、及び
前記伸縮部の末端に回転可能に具備される末端支持部と、
を含む携帯端末機用スタンド。
【請求項２】
前記伸縮部は、
板形状をそれぞれ有してお互いに幅が異なる複数のすべり部材がお互いに引込出されるスライディング可能な構造を有することを特徴とする請求項１に記載の携帯端末機用スタンド。
【請求項３】
前記伸縮部は、
前記回転部に一端部が具備される第１すべり部材と、
前記第１すべり部材より大きい幅を有する第２すべり部材と、及び
前記第２すべり部材にその長さ方向に前記第１すべり部材のスライディングを案内する移動案内部と、
を含むことを特徴とする請求項１に記載の携帯端末機用スタンド。
【請求項４】
前記移動案内部は、
前記第１すべり部材が収容された状態で引込出されるように前記第２すべり部材に具備される引込出用収容部と、
前記引込出用収容部の内側面と前記第１すべり部材の外側面のうちで何れか一つに具備される案内溝と、及び
前記案内溝に相応するように前記引込出用収容部の内側面と前記第１すべり部材の外側面のうちで残り一つに具備される案内突起と、
を含むことを特徴とする請求項３に記載の携帯端末機用スタンド。
【請求項５】
携帯端末機または前記携帯端末機のケースなどの被装着部に具備されて前記携帯端末機を支持する携帯端末機用スタンドであり、
前記被装着部に具備されるための固定部と、
前記固定部に具備されて長さ方向に引込みされるか、または引き出されながら長さが伸縮される伸縮部と、及び
前記伸縮部の末端に回転可能に具備される末端支持部と、
を含む携帯端末機用スタンド。
【発明の詳細な説明】
【技術分野】
【０００１】
本発明は、携帯端末機に関するものである。
【背景技術】
【０００２】
一般に、携帯端末機用スタンドは、スマートフォンやタブレットPCなどの携帯端末機を支持して使用者がもう少し便利に携帯端末機を使用するように手伝ってくれる器具である。
【０００３】
このような携帯端末機用スタンドは、テーブルなどの固定体に載せて携帯端末機を支持する固定体支持型スタンドと、指などの手に挟んで携帯端末機を支持する手支持型スタンドと、長い撓み許容部材(一名、“ジャバラ”)を利用して携帯端末機を支持するジャバラ連結型スタンドで区分されることができる。
【０００４】
具体的に、固定体支持型スタンドは、一つの胴体でなされて、携帯端末機が載せられる下敷面と、携帯端末機の背面を支持して前記下敷面に載せられた携帯端末機に傾斜角度を提供する傾斜面と、そして固定体に面接触される底面を含む。手支持型スタンドは、携帯端末機を把持するケースと、前記ケースの背面に接着テープなどを通じて付着される固定板と、前記固定板に具備されて使用者の指を挿入させることができる金属材質のフィンガリング(finger ring)を含む。ジャバラ連結型スタンドは、テーブルなどの固定体に固定される固定部と、携帯端末機を把持する把持部と、そして固定部と把持部を連結させて長い形態でなされてその内部に撓うことができる構造物が長く内蔵され、その外部がゴムなどの外被で囲まれた撓み許容部材を含む。
【０００５】
しかし、既存の携帯端末機用スタンドは、既存の固定体支持型スタンドの場合携帯端末機を目の高さに合わせるなどその高さを調節するためにその下に厚い本などを積まなければならないので使用が不便な問題があって、既存の手支持型スタンドの場合目の高さに合わせることは容易であるが、使用者が支持することができる手または腕の力の限界で長期間使用することができない問題があり、そして、既存のジャバラ連結型スタンドの場合携帯性が落ちて携帯端末機の重さによって予想位置より下に垂れるようになって、カンチレバー(cantilever)構造であるので、垂れるうちに固定端を中心に回転されるので、正確な目高さを合わせるためには予想位置よりさらに上に載せなければならないし、回転されることを勘案して予想位置より回転される方向の反対方向にさらに拗らなければならないなど位置調節が難しい問題がある。
【発明の概要】
【発明が解決しようとする課題】
【０００６】
本発明の技術的課題は、携帯端末機の位置を使用者が願う位置に容易に合わせることができるし、携帯端末機をその合わせた位置に長期間維持することができるし、携帯時には携帯端末機と共に容易に携帯することができる携帯端末機用スタンドを提供することである。
【課題を解決するための手段】
【０００７】
前記目的を達成するために、本発明の実施例による携帯端末機用スタンドは、携帯端末機または前記携帯端末機のケースなどの被装着部に具備されて前記携帯端末機を支持する携帯端末機用スタンドであり、前記被装着部に具備されるための固定部と、長さ方向に引込みされるか、または引き出されながら長さが伸縮される伸縮部と、前記固定部と前記伸縮部との間に具備されて前記固定部を相対的に回転させる回転部と、及び前記伸縮部の末端に回転可能に具備される末端支持部と、を含む。
【０００８】
一例で、前記固定部は、前記回転部を一面に具備する固定部材と、及び前記固定部材の他面を前記被装着部に接着させる両面テープと、を含むことができる。
【０００９】
他の例で、前記固定部は、前記回転部を一面に具備する固定部材と、前記固定部材の他面と前記被装着部のうちで何れか一つに具備される磁石と、及び前記固定部材の他面と前記被装着部のうちで残り一つに具備されて前記磁石に応じる材質でなされた磁石反応部材と、を含むことができる。
【００１０】
また他の例で、前記固定部は、前記被装着部に両面テープを通じて接着される第１固定部材と、及び前記第１固定部材に一面が着脱可能に具備されて他面に前記回転部を具備する第２固定部材と、を含むことができる。
【００１１】
前記伸縮部は、板形状をそれぞれ有してお互いに幅が異なる複数のすべり部材がお互いに引込出されるスライディング可能な構造(slidable structure)を有することができる。
【００１２】
前記伸縮部は、前記回転部に一端部が具備される第１すべり部材と、前記第１すべり部材より大きい幅を有する第２すべり部材と、及び前記第２すべり部材にその長さ方向に前記第１すべり部材のスライディングを案内する移動案内部と、を含むことができる。
【００１３】
前記移動案内部は、前記第１すべり部材が引込出されるように前記第２すべり部材に具備される引込出用収容部と、前記引込出用収容部の内側面と前記第１すべり部材の外側面のうちで何れか一つに具備される案内溝と、及び前記案内溝に相応するように前記引込出用収容部の内側面と前記第１すべり部材の外側面のうちで残り一つに具備される案内突起と、を含むことができる。
【００１４】
前記伸縮部は、前記第１すべり部材が前記第２すべり部材から最大に引き出された状態で前記第２すべり部材から抜け出ることを防止する抜け防止部をさらに含むことができる。
【００１５】
前記抜け防止部は、前記第１すべり部材の外側面と前記第２すべり部材の内側面のうちで何れか一つに具備される係止部材と、及び前記係止部材が係止されるように前記第１すべり部材の外側面と前記第２すべり部材の内側面のうちで残り一つに具備される係止突起と、を含むことができる。
【００１６】
前記伸縮部は、前記第１すべり部材が前記第２すべり部材から引き出された状態で前記第１すべり部材の移動を停止させる移動止め部をさらに含むことができる。
【００１７】
前記移動止め部は、前記第１すべり部材と前記第２すべり部材のうちで何れか一つに弾性的に支持される止め突起と、及び前記止め突起が挟まれるように前記第１すべり部材と前記第２すべり部材のうちで残り一つに形成される一つ以上の止め溝と、を含むことができる。
【００１８】
前記伸縮部は、前記第２すべり部材より大きい幅を有して前記第２すべり部材をその長さ方向に移動可能に案内する第３すべり部材をさらに含むことができる。
【００１９】
前記回転部は、前記固定部に具備されて前記固定部を時計または反時計方向に回転させて前記携帯端末機に対してロールモーション(Roll motion)を具現するロール回転部と、及び前記ロール回転部に具備されて前記ロール回転部を上下方向にティルティング(tilting)させて前記携帯端末機に対してピッチモーション(Ｐitch motion)を具現するピッチ回転部と、を含むことができる。
【００２０】
前記ロール回転部は、前記固定部に具備されるロールヒンジ軸と、及び前記ロールヒンジ軸に回動可能に具備されるロール回転部材と、を含むことができる。
【００２１】
前記ピッチ回転部は、前記伸縮部の先端に具備されるピッチヒンジ軸と、及び前記ロール回転部材に具備されて前記ピッチヒンジ軸が回動可能に挿入される回転案内孔と、を含むことができる。
【００２２】
前記末端支持部は、前記伸縮部が引込みされる場合前記伸縮部の末端に正方向に回転されて前記伸縮部を覆って、前記伸縮部が引き出される場合前記伸縮部の末端に逆方向に回転されて前記伸縮部を支持することができる。
【００２３】
前記末端支持部は、前記伸縮部の末端に回動可能に具備される末端支持部材と、及び前記末端支持部材に回転可能に具備されて前記伸縮部を支持する場合前記末端支持部材の一側で離れながら下敷領域を拡張させる下敷領域拡張部材と、を含むことができる。
【００２４】
前記末端支持部材は、前記伸縮部を覆う場合前記伸縮部を収容するために前記伸縮部に対向する面に陷沒されて形成される伸縮部用収容溝を含むことができる。
【００２５】
前述した本発明の実施例による携帯端末機用スタンドは、前記末端支持部が前記伸縮部の末端に逆方向に回転される場合前記末端支持部が傾いた形態で前記伸縮部に係止されるように前記伸縮部の末端部に具備される傾斜維持突起をさらに含むことができる。
【００２６】
一方、本発明の他の実施例による携帯端末機用スタンドは、携帯端末機または前記携帯端末機のケースなどの被装着部に具備されて前記携帯端末機を支持する携帯端末機用スタンドであり、前記被装着部に具備されるための固定部と、前記固定部に具備されて長さ方向に引込みされるか、または引き出されながら長さが伸縮される伸縮部と、及び前記伸縮部の末端に回転可能に具備される末端支持部と、を含む。
【発明の効果】
【００２７】
以上でのように、本発明の実施例による携帯端末機用スタンドは、次のような効果を有することができる。
【００２８】
本発明の実施例によれば、固定部と、伸縮部と、回転部と、そして、末端支持部を含む技術構成を提供するので、伸縮部の長さ方向に伸縮部の長さを伸長または収縮させる方式で携帯端末機の位置を使用者が願う位置に容易に合わせることができるし、伸縮部と末端支持部を通じた支持で携帯端末機をその合わせた位置に長期間維持することができるし、そして、伸縮部の長さを最小にした後、末端支持部を回転させて伸縮部を覆うことで、携帯時には携帯端末機と共に容易に携帯することができる。
【００２９】
また、本発明の実施例によれば、伸縮部は板形状をそれぞれ有してお互いに幅が異なる複数のすべり部材がお互いに引込出されるスライディング可能な構造(slidable structure)を有するので、板形状を通じて本発明の携帯端末機用スタンドの厚さを薄く具現するだけではなく、その長さ方向に引っぱれば伸長され、その反対に押せば伸縮されることができ、その長さ調節が容易であることができる。
【００３０】
また、本発明の実施例によれば、伸縮部は第１すべり部材と、第２すべり部材と、そして、移動案内部を含む技術構成を提供するので、移動案内部を通じて第１及び第２すべり部材がお互いに左右搖れなしに円滑にその長さ方向に引込出されることができる。
【００３１】
また、本発明の実施例によれば、第２すべり部材に具備された引込出用収容部に第１すべり部材が収容された状態で引込出される技術構成を提供するので、第１及び第２すべり部材がお互いに引込みされてお互いに重なっても伸縮部の厚さを最小化することができるし、窮極的に本発明の携帯端末機用スタンドの厚さをさらに薄く具現することができる。
【００３２】
また、本発明の実施例によれば、伸縮部は抜け防止部をさらに含む技術構成を提供するので、使用者が引っぱって第１すべり部材を第２すべり部材から最大に引き出しても第１すべり部材が第２すべり部材から抜けることを阻むことができる。
【００３３】
また、本発明の実施例によれば、伸縮部は移動止め部をさらに含む技術構成を提供するので、第１すべり部材が第２すべり部材から引き出された状態で第１すべり部材の移動を停止させることができ、第１すべり部材が荷重によって第２すべり部材に沿って下にスライディング(sliding)されることを防止することができる。特に、止め溝を第１すべり部材の長さ方向に沿って間隔を置いて複数個具備する場合止め突起が複数の止め溝のうちで何れか一つに選択的に挟まれながら使用者が願う位置で移動を停止させることができる。
【００３４】
また、本発明の実施例によれば、伸縮部は第３すべり部材をさらに含む技術構成を提供するので、第３すべり部材を通じて伸縮部を十分な長さで引き出されることができる。
【００３５】
また、本発明の実施例によれば、回転部はロール回転部を含む技術構成を提供するので、携帯端末機のディスプレイを正面から眺める時固定部を時計または反時計方向に回転させることができ、携帯端末機に対してロールモーション(Roll motion)を具現することができる。
【００３６】
また、本発明の実施例によれば、回転部はピッチ回転部をさらに含む技術構成を提供するので、携帯端末機を側面から眺める時、ロール回転部を上下方向にティルティングさせることができ、携帯端末機に対してピッチモーション(Ｐitch motion)を具現することができる。
【００３７】
また、本発明の実施例によれば、一例で固定部に両面テープが提供されるので、接着を通じて本発明の携帯端末機用スタンドを携帯端末機や携帯端末機のケースなどの被装着部に堅固に固定させることができるし、他の例で固定部に磁石などが提供されるので、磁力を通じて堅固に固定させることができるだけでなく、磁力より大きい外力を加えて脱去させることができ、本発明の携帯端末機用スタンドを必要な時だけ被装着部に装着して使用することができるし、また他の例で固定部にお互いに着脱される第１及び第２固定部材などが提供されるので、お互いに着脱が可能なだけでなく脱去時に被装着部に残るようになる第１固定部材を無線充電に邪魔にならないプラスチックなどの材質で選択する場合、無線充電器を通じた円滑な無線充電を進行することができる。
【００３８】
また、本発明の実施例によれば、末端支持部は伸縮部の末端に正逆回転可能に具備される技術構成を提供するので、伸縮部が引込みされる場合伸縮部の末端に正方向に回転されて伸縮部を覆うことができるし、伸縮部が引き出される場合伸縮部の末端に逆方向に回転されて伸縮部を支持することができる。
【００３９】
また、本発明の実施例によれば、末端支持部は末端支持部材とこれに回転可能に具備される下敷領域拡張部材を含む技術構成を提供するので、下敷領域拡張部材を末端支持部材の一側で離れる方向に回転させて下敷領域を拡張させることができ、携帯端末機をより安定的に支持することができる。
【００４０】
また、本発明の実施例によれば、末端支持部材に伸縮部用収容溝が形成される技術構成を提供するので、伸縮部を完全に引込みさせた後末端支持部材が伸縮部を覆う場合伸縮部用収容溝に伸縮部を収容することができ、携帯時に本発明の携帯端末機用スタンドの厚さを最小化することができる。
【図面の簡単な説明】
【００４１】
【図１】本発明の一実施例による携帯端末機用スタンドを概略的に示した背面斜視図である。
【図２】図１の携帯端末機用スタンドを概略的に示した正面斜視図である。
【図３】図１の携帯端末機用スタンドの伸縮部が引込みされている状態を概略的に示した図面である。
【図４】伸縮部の移動案内部などが見えるように図３の伸縮部を他の方向で眺めた図面である。
【図５】伸縮部が完全に引込みされた後末端支持部材によって覆われた状態を概略的に示した図面である。
【図６】回転部を概略的に示した図面である。
【図７】図１の携帯端末機用スタンドの末端支持部の底面を概略的に示した図面である。
【発明を実施するための形態】
【００４２】
以下、添付した図面を参照にして本発明の実施例に対して本発明が属する技術分野で通常の知識を有した者が容易に実施できるように詳しく説明する。しかし、本発明はいろいろ相異な形態で具現されることができるし、ここで説明する実施例に限定されない。
【００４３】
図１は、本発明の一実施例による携帯端末機用スタンドを概略的に示した背面斜視図であり、図２は図１の携帯端末機用スタンドを概略的に示した正面斜視図である。図３は、図１の携帯端末機用スタンドの伸縮部が引込みされている状態を概略的に示した図面であり、図４は伸縮部の移動案内部などが見えるように図３の伸縮部を他の方向から眺めた図面である。図５は、伸縮部が完全に引込みされた後末端支持部材によって覆われた状態を概略的に示した図面であり、図６は回転部を概略的に示した図面であり、そして、図７は図１の携帯端末機用スタンドの末端支持部の底面を概略的に示した図面である。
【００４４】
本発明の一実施例による携帯端末機用スタンド１００は、図１乃至図７に示されたように、携帯端末機または携帯端末機のケースなどの被装着部１に具備されて携帯端末機(以下、被装着部と等しい図面符号を付与する、１)を支持する携帯端末機用スタンドであり、固定部１１０と、伸縮部１２０と、回転部１３０と、そして、末端支持部１４０を含む。以下、図１乃至図７を続いて参照し、各構成要素に対して詳しく説明する。
【００４５】
固定部１１０は、本発明の携帯端末機用スタンド１００を携帯端末機または携帯端末機のケースなどの被装着部１に固定させるための構成要素である。このような固定部１１０は、図１に示されたように、被装着部１と回転部１３０との間に具備されることができる。
【００４６】
一例で、固定部１１０は、図１に示されたように、固定部材１１１と両面テープ(図示せず)を含むことができる。固定部材１１１は、その一面に回転部１３０が固定されることができるし、両面テープ(図示せず)は固定部材１１１の他面を被装着部１に付着させることができる。よって、固定部材１１１と両面テープ(図示せず)を通じて、本発明の携帯端末機用スタンド１００の回転部１３０が被装着部１に堅く固定されることができる。
【００４７】
他の例で、図示されなかったが、固定部は、固定部材、磁石、そして磁石反応部材を含むことができる。固定部材は、その一面に回転部が固定されることができるし、磁石は固定部材の他面または被装着部のうちで何れか一つに具備されることができるし、磁石反応部材は固定部材の他面または被装着部のうちで残り一つに具備されることができるし、磁石に応じる材質でなされることができる。ここで、磁石に応じる材質は、上述した磁石と反対極性を有する磁石であることもでき、鉄、ニッケル、コバルトのような強磁性体であることもある。よって、磁石などを通じて、本発明の携帯端末機用スタンド１００の回転部１３０が被装着部１に堅く固定されることができるだけでなく、磁力より大きい外力を加えて脱去されることができて、本発明の携帯端末機用スタンド１００を必要な時だけ被装着部１に装着して使用することができる。
【００４８】
また他の例で、図示されなかったが、固定部は、第１固定部材と第２固定部材を含むことができる。第１固定部材は両面テープを通じて被装着部に接着されることができるし、第２固定部材の一面は、第１固定部材に着脱可能に具備されることができるし、第２固定部材の他面に回転部が固定されることができる。参照で、図示されなかったが、着脱可能な構造のために、第２固定部材の一面にレール(Rail)が具備され、レールに相応するように第１固定部材にレールがイド(Ｒail guider)が具備されることができる。よって、第１及び第２固定部材がお互いに着脱可能なだけでなく、脱去時に被装着部に残るようになる第１固定部材を無線充電に邪魔にならないプラスチックなどの材質で選択する場合、無線充電器を通じた円滑な無線充電を進行することができる。
【００４９】
伸縮部１２０は、携帯端末機１の高さを実質的に調節するための構成要素である。このような伸縮部１２０は、図１に示されたように、回転部１３０に装着されることができるし、その長さ方向に引込みされるか、または引き出されながらその長さが伸縮されることができる。他の例で、図示されなかったが、回転部１３０がないタイプの場合、伸縮部１２０は固定部１１０に具備されることもできるであろう。
【００５０】
したがって、伸縮部１２０の長さ方向に伸縮部１２０の長さを伸長または収縮させる方式で携帯端末機１の位置を使用者が願う位置に容易に合わせることができるし、末端支持部１４０と共に伸縮部１２０を通じた支持で携帯端末機１をその合わせた位置に長期間維持することができるし、そして、伸縮部１２０の長さを最小にすることで携帯時には携帯端末機１と共に容易に携帯することができる。
【００５１】
例えば、伸縮部１２０は、図１乃至図４に示されたように、板形状をそれぞれ有してお互いに幅が異なる複数のすべり部材(Ｓ１０)がお互いに引込出されるスライディング可能な構造(slidable structure)を有することができる。よって、板形状を通じて本発明の携帯端末機用スタンド１００の厚さ(図５参照)を薄く具現することだけではなく、その長さ方向に引っぱれば伸長され、その反対に押せば伸縮されることができて、その長さ調節が容易であることができる。
【００５２】
具体的に、伸縮部１２０は、図１乃至図４に示されたように、第１すべり部材(Ｓ１１)、第２すべり部材(Ｓ１２)、そして、移動案内部(Ｍ１０)を含むことができる。第１すべり部材(Ｓ１１)は板形状を有して回転部１３０にその一端部が具備されることができるし、第２すべり部材(Ｓ１２)は板形状を有するが、第１すべり部材(Ｓ１１)より大きい幅を有することができるし、そして、移動案内部(Ｍ１０)は、第２すべり部材(Ｓ１２)に対してその長さ方向に第１すべり部材(Ｓ１１)のスライディングを案内することができる。よって、移動案内部(Ｍ１０)を通じて第１及び第２すべり部材(Ｓ１１、Ｓ１２)がお互いに左右搖れなしに円滑にその長さ方向に引込出されることができる。
【００５３】
延いては、移動案内部(Ｍ１０)は、図２及び図４に示されたように、引込出用収容部(Ｍ１１)、案内溝(Ｍ１２)、そして、案内突起(Ｍ１３)を含むことができる。引込出用収容部(Ｍ１１)は、第１すべり部材(Ｓ１１)が収容された形態で引込出されるように第２すべり部材Ｓ１２に具備されることができる。案内溝(Ｍ１２)は、引込出用収容部(Ｍ１１)の内側面に引込出される長さ方向に長く具備されることができるし、案内突起(Ｍ１３)は、案内溝(Ｍ１２)に相応するように第１すべり部材(Ｓ１１)の外側面に長く具備されることができる。勿論、図示されなかったが、他の例で、第１すべり部材の外側面に案内溝が形成され、引込出用収容部の内側面に案内突起が形成されることもできるであろう。
【００５４】
したがって、第２すべり部材(Ｓ１２)に具備された引込出用収容部(Ｍ１１)に第１すべり部材(Ｓ１１)が収容された状態で引込出されることができ、第１及び第２すべり部材(Ｓ１１、Ｓ１２)がお互いに引込みされてお互いに重なっても伸縮部１２０の厚さを最小化することができるし、窮極的に本発明の携帯端末機用スタンド１００の厚さ(図５参照)をさらに薄く具現することができる。
【００５５】
また、伸縮部１２０は、図２及び図４に示されたように、抜け防止部(Ｌ１０)をさらに含むことができる。抜け防止部(Ｌ１０)は、第１すべり部材(Ｓ１１)が第２すべり部材(Ｓ１２)から最大に引き出された状態で第２すべり部材(Ｓ１２)で第１すべり部材(Ｓ１１)の抜けることを防止する役割をすることができる。
【００５６】
例えば、抜け防止部(Ｌ１０)は、図２及び図４に示されたように、係止部材(Ｌ１１)と係止突起(Ｌ１２)を含むことができる。係止部材(Ｌ１１)は、ピン形状を有することができるし、第１すべり部材(Ｓ１１)の外側面に着脱可能に具備されることができるし、係止突起(Ｌ１２)は、係止部材(Ｌ１１)が係止されるように第２すべり部材(Ｓ１２)の内側面に段差になった形態で具備されることができる。勿論、図示されなかったが、他の例で、第２すべり部材の内側面に係止部材が具備され、第１すべり部材の外側面に係止突起が具備されることもできるであろう。
【００５７】
したがって、使用者が引っぱって第１すべり部材(Ｓ１１)を第２すべり部材(Ｓ１２)から最大に引き出しても係止部材(Ｌ１１)が係止突起(Ｌ１２)に係止されながら第１すべり部材(Ｓ１１)が第２すべり部材(Ｓ１２)から抜けることを阻むことができる。
【００５８】
また、伸縮部１２０は、図１及び図３に示されたように、移動止め部(Ｈ１０)をさらに含むことができる。移動止め部(Ｈ１０)は第１すべり部材(Ｓ１１)が第２すべり部材(Ｓ１２)から引き出された状態で第１すべり部材(Ｓ１１)の移動を停止させる役割をすることができる。
【００５９】
例えば、前記移動止め部(Ｈ１０)は、図１及び図３に示されたように、止め突起(図３のH１１参照)と止め溝(Ｈ１２)を含むことができる。止め突起(図３のH１１参照))は、第１すべり部材(Ｓ１１)に弾性的に支持されることができるし、止め溝(Ｈ１２)は、止め突起(図３のH１１参照)が挟まれるように第２すべり部材(Ｓ１２)に形成されることができる。勿論、図示されなかったが、他の例で、第２すべり部材に止め突起が具備され、第１すべり部材に止め溝が形成されることもできるであろう。
【００６０】
したがって、第１すべり部材(Ｓ１１)が第２すべり部材(Ｓ１２)から引き出された状態で第１すべり部材(Ｓ１１)の移動を停止させることができて、第１すべり部材(Ｓ１１)が荷重によって第２すべり部材(Ｓ１２)に沿って下にスライディング(sliding)されることを防止することができる。特に、図示されなかったが、止め溝を第１すべり部材の長さ方向に沿って間隔を置いて複数個具備する場合止め突起が複数の止め溝のうちで何れか一つに選択的に挟まれながら使用者が願う位置で移動を停止させることができる。
【００６１】
また、伸縮部１２０は、図１乃至図４に示されたように、第２すべり部材(Ｓ１２)より大きい幅を有して第２すべり部材(Ｓ１２)をその長さ方向に移動可能に案内する第３すべり部材(Ｓ１３)をさらに含むことができる。よって、第３すべり部材(Ｓ１３)を通じて伸縮部１２０を十分な長さで引き出されることができる。勿論、図示されなかったが、長さをさらに伸びさせるため、伸縮部は４個以上のすべり部材を含むこともできるであろう。
【００６２】
回転部１３０は、伸縮部１２０に対して固定部１１０を相対的に回転させて携帯端末機１に対して回転モーション(Rotation motion)を提供する構成要素である。このような回転部１３０は、図１、図３及び図６に示されたように、固定部１１０と伸縮部１２０との間に具備されることができる。
【００６３】
具体的に、回転部１３０は、図６に示されたように、ロール回転部(Ｒ１０)を含むことができる。ロール回転部(Ｒ１０)は、固定部１１０に具備されることができるし、携帯端末機１のディスプレイを正面から眺めることを基準で固定部１１０を時計または反時計方向に回転させて携帯端末機１に対してロールモーション(Roll motion)を具現する役割をすることができる。例えば、ロール回転部(Ｒ１０)は、図６に示されたように、固定部１１０に具備されるロールヒンジ軸(Ｒ１１)と、ロールヒンジ軸(Ｒ１１)に回動可能に具備されるロール回転部材(Ｒ１２)を含むことができる。
【００６４】
延いては、回転部１３０は、図６に示されたように、ピッチ回転部(Ｐ１０)をさらに含むことができる。ピッチ回転部(Ｐ１０)は、ロール回転部(Ｒ１０)に具備されることができるし、携帯端末機１を側面から眺めることを基準でロール回転部(Ｒ１０)を上下方向にティルティング(tilting)させて携帯端末機１に対してピッチモーション(Ｐitch motion)を具現することができる。例えば、ピッチ回転部(Ｐ１０)は、図６に示されたように、伸縮部１２０の先端に具備されるピッチヒンジ軸(Ｐ１１)と、ロール回転部材(Ｒ１２)に具備されてピッチヒンジ軸(Ｐ１１)が回動可能に挿入される回転案内孔(図示せず)を含むことができる。
【００６５】
末端支持部１４０は、本発明の携帯端末機用スタンド１００を底に支持するなどの役割をするための構成要素である。このような末端支持部１４０は、図１、図５及び図７に示されたように、伸縮部１２０の末端に正逆回転可能に具備されることができる。
【００６６】
特に、末端支持部１４０は伸縮部１２０が引込みされる場合伸縮部１２０の末端に正方向に回転されて伸縮部１２０を覆うことができるし(図５参照)、伸縮部１２０が引き出される場合伸縮部１２０の末端に逆方向に回転されて伸縮部１２０を支持することができる(図１参照)。
【００６７】
延いては、末端支持部１４０は、図１及び図７に示されたように、末端支持部材１４１と下敷領域拡張部材１４２を含むことができる。末端支持部材１４１は、伸縮部１２０の末端に回動可能に具備されることができるし、下敷領域拡張部材１４２は、末端支持部材１４１に回転可能に具備されることができるし、伸縮部１２０を支持する場合末端支持部材１４１の一側で離れながら下敷領域を拡張させることができる。よって、下敷領域拡張部材１４２を末端支持部材１４１の一側で離れる方向に回転させて下敷領域を拡張させることができて、携帯端末機１をより安定的に支持することができる。
【００６８】
また、末端支持部材１４１は、図７に示されたように、その底面に陷沒されて形成される伸縮部用収容溝１４１ａをさらに含むことができる。よって、伸縮部１２０を完全に引込みさせた後末端支持部材１４１が正方向に回転されて伸縮部１２０を覆う場合(図５参照)、伸縮部用収容溝１４１ａに伸縮部１２０を収容することができて、携帯時に本発明の携帯端末機用スタンド１００の厚さを最小化することができる。
【００６９】
これと併せて、本発明の一実施例による携帯端末機用スタンド１００は、図１乃至図３に示されたように、伸縮部１２０の末端部に具備される傾斜維持突起１５０をさらに含むことができる。よって、末端支持部１４０が伸縮部１２０の末端に逆方向に回転される場合傾斜維持突起１５０を通じて末端支持部１４０が傾いた形態で伸縮部１２０に係止されることができる。
【００７０】
以上で本発明の望ましい実施例に対して詳細に説明したが、本発明の権利範囲はこれに限定されるものではなくて、次の請求範囲で定義している本発明の基本概念を利用した当業者の多くの変形及び改良形態も本発明の権利範囲に属するものである。
【符号の説明】
【００７１】
１  被装着部(携帯電話端末機またはケース)
１００  携帯端末機用スタンド
１１０  固定部
１１１  固定部材
１２０  伸縮部
Ｓ１０  複数のすべり部材
Ｓ１１  第１すべり部材
Ｓ１２  第２すべり部材
Ｓ１３  第３すべり部材
Ｍ１０  移動案内部
Ｍ１１  引込出用収容部
Ｍ１２  案内溝
Ｍ１３  案内突起
Ｌ１０  抜け防止部
Ｌ１１  係止部
Ｌ１２  係止突起
Ｈ１０  移動止め部
Ｈ１１  止め突起
Ｈ１２  止め溝
１３０  回転部
Ｒ１０  ロール回転部
Ｒ１１  ロールヒンジ軸
Ｒ１２  ロール回転部材
Ｐ１０  ピッチ回転部
Ｐ１１  ピッチヒンジ軸
Ｐ１２  回転案内孔
１４０  末端支持部
１４１  末端支持部材
１４１ａ  伸縮部用収容溝
１４２  下敷領域拡張部材
１５０  傾斜維持突起
【図１】
2020088835.tif 000003
【図２】
2020088835.tif 000004
【図３】
2020088835.tif 000005
【図４】
2020088835.tif 000006
【図５】
2020088835.tif 000007
【図６】
2020088835.tif 000008
【図７】
2020088835.tif 000009